(57)【要約】【課題】イヤホンなどのコードとアンテナを有する携帯用通信機器を用いるとき、コードやアンテナが周囲の物に引っ掛かることや、携帯用通信機器が落下すること等の事象の発生を抑制して、安全・安心に作業することが可能な作業用衣服を提供する。【解決手段】作業用衣服１は、本体部２を備える。その作業用衣服は、本体部の外側の表面に開口部１１ａを有し、イヤホンなどのコードとアンテナとを有する携帯用通信機器を収納するためのポケット１１と、本体部に位置し、コードを作業用衣服の外側から内側に挿通するための挿通孔１３と、挿通孔と水平方向に隣り合い、アンテナを保持するためのアンテナ保持部材１２と、を備える。【選択図】図１
2020056128.tif 000002
【特許請求の範囲】
【請求項１】
丈方向及び水平方向を有し、本体部を備える作業用衣服であって、
前記本体部の外側の表面に開口部を有し、イヤホン及びマイクロフォンの少なくとも一方のコードとアンテナとを有する携帯用通信機器を収納するためのポケットと、
前記本体部に位置し、前記コードを前記作業用衣服の外側から内側に挿通するための挿通孔と、
前記挿通孔と前記水平方向に隣り合い、前記アンテナを保持するためのアンテナ保持部材と、
を備える、
作業用衣服。
【請求項２】
前記本体部に位置し、前記コードが前記挿通孔を挿通可能なように前記挿通孔を覆うカバー部材を更に備える、
請求項１に記載の作業用衣服。
【請求項３】
前記アンテナ保持部材と前記カバー部材とは一体に形成されている、
請求項２に記載の作業用衣服。
【請求項４】
前記アンテナ保持部材は、
前記本体部に固定された基部と、
前記アンテナを保持する保持部と、
を備え、
前記基部は、第１結合部を含み、
前記保持部は、前記水平方向において一端部を前記基部の一端部に連結され、他端部に前記第１結合部に脱着可能な第２結合部を含み、前記第１結合部と前記第２結合部とが互いに結合することで、前記アンテナを挿通するためのループ部を構成可能であり、
前記カバー部材は、前記水平方向において一端部を前記基部の他端部に連結され、他端部を前記本体部に固定されており、前記一端部と前記他端部の間の中央部において、前記挿通孔から離間されつつ、前記挿通孔を覆っている、
請求項３に記載の作業用衣服。
【請求項５】
前記第１結合部及び前記第２結合部はスナップである、
請求項４に記載の作業用衣服。
【請求項６】
前記本体部は、前身頃と後身頃とを含み、
前記ポケットは、前記後身頃に配置されている、
請求項１乃至５のいずれか一項に記載の作業用衣服。
【請求項７】
前記本体部は、上衣を含み、
前記上衣は、前身頃と後身頃とを含み、
前記ポケットは、前記前身頃の胸部分に配置されている、
請求項１乃至５のいずれか一項に記載の作業用衣服。
【請求項８】
前記本体部における前記丈方向の上側かつ前記水平方向の両側に、袖部を更に備え、
前記ポケットは、前記本体部における前記袖部の前記丈方向の下方に配置されている、
請求項１乃至５のいずれか一項に記載の作業用衣服。
【請求項９】
前記作業用衣服は、医療業従事者用、看護業従事者用、介護業従事者用、エステ業従事者用、清掃業従事者用、飲食業従事者用、小売業従事者用、理容師業従事者用、又は美容師業従事者用である、
請求項１乃至８のいずれか一項に記載の作業用衣服。
【発明の詳細な説明】
【技術分野】
【０００１】
本開示は、作業用衣服に関する。
【背景技術】
【０００２】
イヤホンを有する携帯用機器を収容可能なポケットを備える衣服が知られている。例えば、特許文献１に記載の上着は、イヤホンを有する携帯用機器を収容可能な外ポケットと、外ポケットの内部を上着の内側に連通させる貫通孔により構成され、イヤホンのコードが挿通可能に構成された外ポケット挿通部と、を備えている。特許文献１によれば、この上着では、携帯用機器が操作し易く、イヤホンのコードが外側に煩わしく引き回されることがなく、携帯用機器を心地よく使用することが可能である、とされている。
【先行技術文献】
【特許文献】
【０００３】
【特許文献１】特開２０１０−１２６８７０号公報
【発明の概要】
【発明が解決しようとする課題】
【０００４】
医療業、看護業、介護業などのような産業の作業現場では、互いに離れた場所で作業する作業者同士が、トランシーバーのような携帯用通信機器を用いて会話を行いつつ作業を行う場合がある。そのような場合、作業者は、携帯用通信機器を直接手で持たずに、作業用衣服のポケットに入れて携行することが通常である。ところが、アンテナを有する携帯用通信機器を用いる場合、特許文献１に記載の衣服を含めて、作業用衣服のポケットは、携帯用通信機器の本体を収容できるが、本体に取り付けられたアンテナのすべてを収容できないのが通常である。そのため、アンテナの大部分はポケットの開口部からポケットの外側にはみ出してしまい、作業者の姿勢によっては作業用衣服から突出するおそれがある。そのような場合、作業者が作業中に、アンテナが周囲の物にぶつかったり、引っ掛かったりするおそれがある。更に、作業用衣服のポケットは必ずしも特定の携帯用通信機器の専用に作製されてはいないため、作業者の姿勢や動作によっては携帯用通信機器がポケットから落下するおそれがある。そのような場合、作業者が作業中に、必要な連絡が取れなくなるおそれがある。また、携帯用通信機器がイヤホン及びマイクロフォンの少なくとも一方のコードを有する場合、作業用衣服のポケットは、貫通孔を有していないのが通常である。すなわち、コードの大部分は作業服の外側に露出してしまう。そのような場合にも、作業者が作業中に、コードが周囲の物に引っ掛かったり、ぶつかったりするおそれがある。これらの事象が生じると、安全・安心に作業を行うことが困難になるおそれがある。
【０００５】
本発明の目的は、イヤホン及びマイクロフォンの少なくとも一方のコードとアンテナを有する携帯用通信機器を用いるとき、コードやアンテナが周囲の物に引っ掛かることや、携帯用通信機器が落下すること等の事象の発生を抑制して、安全・安心に作業することが可能な作業用衣服を提供することにある。
【課題を解決するための手段】
【０００６】
本発明の作業用衣服は、丈方向及び水平方向を有し、本体部を備える作業用衣服である。その作業用衣服は、前記本体部の外側の表面に開口部を有し、イヤホン及びマイクロフォンの少なくとも一方のコードとアンテナとを有する携帯用通信機器を収納するためのポケットと、前記本体部に位置し、前記コードを前記作業用衣服の外側から内側に挿通するための挿通孔と、前記挿通孔と前記水平方向に隣り合い、前記アンテナを保持するためのアンテナ保持部材と、を備える。
【発明の効果】
【０００７】
本発明によれば、イヤホン及びマイクロフォンの少なくとも一方のコードとアンテナを有する携帯用通信機器を用いるとき、コードやアンテナが周囲の物に引っ掛かることや、携帯用通信機器が落下すること等の事象の発生を抑制して、安全・安心に作業することが可能な作業用衣服を提供できる。
【図面の簡単な説明】
【０００８】
【図１】実施形態に係る作業用衣服の構成例について着用状態の態様を右後方から見た図である。
【図２】実施形態に係る作業用衣服の構成例について着用状態の態様を正面から見た図である。
【図３】実施形態に係る作業用衣服の構成例を示す背面図である。
【図４】実施形態に係る作業用衣服の構成例について、ポケット、挿通孔及びアンテナ保持部の構成例を示す図である。
【図５】実施形態に係る作業用衣服の構成例について着用状態の別の態様を右後方から見た図である。
【図６】実施形態に係る作業用衣服の構成例について着用状態の別の態様を正面から見た図である。
【図７】実施形態に係る作業用衣服の他の構成例の正面図又は側面図である。
【図８】実施形態に係る作業用衣服の更に他の構成例の正面図である。
【発明を実施するための形態】
【０００９】
具体的には、本開示は以下の態様に関する。
［態様１］丈方向及び水平方向を有し、本体部を備える作業用衣服であって、前記本体部の外側の表面に開口部を有し、イヤホン及びマイクロフォンの少なくとも一方のコードとアンテナとを有する携帯用通信機器を収納するためのポケットと、前記本体部に位置し、前記コードを前記作業用衣服の外側から内側に挿通するための挿通孔と、前記挿通孔と前記水平方向に隣り合い、前記アンテナを保持するためのアンテナ保持部材と、を備える、作業用衣服。
【００１０】
この作業用衣服では、コードを挿通孔に挿通することでコードが作業用衣服の本体部の外側に露出しないようにでき、かつ、アンテナをアンテナ保持部材で保持することでアンテナが作業用衣服の本体部から外側に突出しないようにできる。更に、アンテナをアンテナ保持部材で保持することで、作業者の姿勢や動作によって携帯用通信機器がポケットから落下することを抑制できる。そして、挿通孔とアンテナ保持部材とが互いに隣り合っているため、携帯用通信機器の装着作業、すなわち、コードの挿通及びアンテナの保持を容易に行うことができる。そのため、コードやアンテナが周囲の物に引っ掛かることや、携帯用通信機器が落下すること等の事象の発生を抑制でき、作業者が安全・安心して作業をすることが可能となる。
【００１１】
［態様２］前記本体部に位置し、前記コードが前記挿通孔を挿通可能なように前記挿通孔を覆うカバー部材を更に備える、態様１に記載の作業用衣服。
この作業用衣服では、挿通孔がカバー部材で覆われているので、挿通孔から異物等が作業用衣服の内側へ侵入するおそれを抑制することができる。更に、挿通孔がカバー部材で覆われているので、作業用衣服が肌又は下着の上に着用されたとしても、挿通孔から作業用衣服の内側の肌や下着を見え難くすることができる。それにより、作業用衣服の作業者を保護する機能を維持しつつ、かつ、作業者が肌や下着の露出に対して余計な気を遣わずに、作業者がより安全・安心して作業をすることが可能となる。
【００１２】
［態様３］前記アンテナ保持部材と前記カバー部材とは一体に形成されている、態様２に記載の作業用衣服。
この作業用衣服では、アンテナ保持部材とカバー部材とが一体に形成されているので、両部材を狭い範囲にまとめて配置することができる。すなわち、両部材を簡易な構造で形成することができ、容易に設置することができる。それにより、両部材の構造及び設置の信頼性をより高めることができ、作業者がより安全・安心して作業をすることができる。
【００１３】
［態様４］前記アンテナ保持部材は、前記本体部に固定された基部と、前記アンテナを保持する保持部と、を備え、前記基部は、第１結合部を含み、前記保持部は、前記水平方向において一端部を前記基部の一端部に連結され、他端部に前記第１結合部に脱着可能な第２結合部を含み、前記第１結合部と前記第２結合部とが互いに結合することで、前記アンテナを挿通するためのループ部を構成可能であり、前記カバー部材は、前記水平方向において一端部を前記基部の他端部に連結され、他端部を前記本体部に固定されており、前記一端部と前記他端部の間の中央部において、前記挿通孔から離間されつつ、前記挿通孔を覆っている、態様３に記載の作業用衣服。
この作業用衣服では、アンテナ保持部が基部及び保持部とから構成されるループ部であるため、第１結合部と第２結合部との着脱により、アンテナを容易に保持させることができる。それにより、アンテナの保持の作業効率を高めることができ、作業者がより安全・安心して作業をすることが可能となる。また、ループ部を構成するアンテナ保持部材とカバー部材とが水平方向に連続的に連なる構成を有しているので、アンテナ保持部材及びカバー部材を一体的に連続的に形成することができ、製造性に優れている。
【００１４】
［態様５］前記第１結合部及び前記第２結合部はスナップである、態様４に記載の作業用衣服。
この作業用衣服では、第１結合部及び第２結合部がスナップであるため、着用者が、スナップに手を添え、スナップを容易に取り外し、取り付けすることができ、アンテナを容易に保持させることができる。それにより、アンテナの保持の作業効率をより高めることができ、作業者がより安全・安心して作業をすることが可能となる。
【００１５】
［態様６］前記本体部は、前身頃と後身頃とを含み、前記ポケットは、前記後身頃に配置されている、態様１乃至５のいずれか一項に記載の作業用衣服。
この作業用衣服では、携帯用通信機器を収納するポケットが後身頃に配置されているので、ポケットが携帯用通信機器を収納して膨らんだとしても、作業の邪魔になることを抑制できる。それにより、作業者がより安全・安心して作業をすることが可能となる。
【００１６】
［態様７］前記本体部は上衣を含み、前記上衣は、前身頃と後身頃とを含み、前記ポケットは、前記前身頃の胸部分に配置されている、態様１乃至５のいずれか一項に記載の作業用衣服。
この作業用衣服では、携帯用通信機器を収納するポケットが前身頃の胸部分に配置されているので、ポケットが携帯用通信機器を収納して膨らんでも、作業の邪魔になることを抑制できる。それにより、作業者がより安全・安心して作業をすることが可能となる。
【００１７】
［態様８］前記本体部における前記丈方向の上側かつ前記水平方向の両側に、袖部を更に備え、前記ポケットは、前記本体部における前記袖部の前記丈方向の下方に配置されている、態様１乃至５のいずれか一項に記載の作業用衣服。
この作業用衣服では、携帯用通信機器を収納するポケットが袖部の下方に配置されているので、ポケットが携帯用通信機器を収納して膨らんだとしても、作業の邪魔になることを抑制できる。それにより、作業者がより安全・安心して作業をすることが可能となる。
【００１８】
［態様９］前記作業用衣服は、医療業従事者用、看護業従事者用、介護業従事者用、エステ業従事者用、清掃業従事者用、飲食業従事者用、小売業従事者用、理容師業従事者用、又は美容師業従事者用である、態様１乃至８のいずれか一項に記載の作業用衣服。
この作業用衣服は、特定の作業用であることから、それらの作業対象生物及び／又は作業対象物に、ポケット内の携帯用通信機器のアンテナやコードを接触し難くすることができる。それにより、作業者がより安全・安心して作業をすることが可能となる。
【００１９】
以下、実施形態に係る作業用衣服について看護業従事者用衣服を例に説明する。ただし本発明の作業用衣服の種類及び用途はその例に限定されるものではなく、本発明の主題の範囲を逸脱しない限り、他の作業用衣服に対しても適用可能である。
【００２０】
図１〜図４は実施形態に係る作業用衣服１（看護業従事者用衣服）の構成例を示す図である。図１は作業用衣服１の着用状態の態様を右後方から見た図である。図２は作業用衣服１の着用状態の態様を正面から見た図である。図３は作業用衣服１を示す背面図である。図４は作業用衣服１のポケット１１、挿通孔１３及びアンテナ保持部材１２の構成例を示す図である。ただし、本実施形態の作業用衣服１は、互いに直交する丈方向Ｌおよび水平方向Ｈを有する。丈方向Ｌは、作業用衣服１を着用者が着用したときの、着用者の丈の方向を意味し、鉛直方向と同義である。水平方向Ｈは、丈方向Ｌと直交する方向である。作業用衣服１では、着用者の頭部に向かう向き及び側をそれぞれ丈方向Ｌの上方及び上側とし、着用者の足部に向かう向き及び側をそれぞれ丈方向Ｌの下方及び下側とする。また、着用者から見て右へ向かう向き及び側をそれぞれ水平方向Ｈの右方及び右側とし、着用者から見て左へ向かう向き及び側をそれぞれ水平方向Ｈの左方及び左側とする。また、作業用衣服１では、着用者の身体に近い側を内側とし、着用者の身体に遠い側を外側とする。また、前面及び腹（腹側）、並びに、背面及び背（背側）は、着用者を基準とする。
【００２１】
作業用衣服１は、衣服として着用者の身体を包む本体部２を備え、本実施形態では袖部５を更に備える。袖部５は、本体部２における丈方向Ｌの上側かつ水平方向Ｈの両側にそれぞれ連結されている。本実施形態では、作業用衣服１は、着用者の身体の上部（上半身）に着る上衣Ｕであるが、身体の下部（下半身）に着る下衣Ｄと上衣Ｕとが一体の衣服であってもよい。したがって、作業用衣服１は少なくとも上衣Ｕを含んでいる。
【００２２】
本実施形態において、本体部２は、前身頃３と後身頃４とに区画されており、したがって前身頃３と後身頃４とを含んでいる。前身頃３及び後身頃４は、それぞれ本体部２における着用者の身体の前面（腹側）及び後面（背側）を覆う部分である。本体部２や袖部５の形状は特に制限はなく、公知の形状を用いることができる。
【００２３】
本実施形態では、本体部２は、襟部６と前合わせ部７とを更に備えている。襟部６は、前身頃３及び後身頃４における丈方向Ｌの上端部かつ水平方向Ｈの中央部に配置されている。ただし、襟部６の構成は特に制限はなく、公知の構成を用いることができる。あるいは、本体部２は襟部６を有さなくてもよい。前合わせ部７は、前身頃３の襟部６における水平方向Ｈの中央部から丈方向Ｌの下方の胸部までの範囲に配置されており、開閉可能なファスナーで形成されている。ただし、前合わせ部７の構成は特に制限はなく、前身頃３の丈方向Ｌの下端まで達するなど公知の配置を用いることができ、開閉可能な他の係止部材、例えばボタン及びボタンホール、スナップなど公知の部材を用いることができる。あるいは、本体部２は前合わせ部７を有さなくてもよい。
【００２４】
作業用衣服１は本体部２にポケット１１を備えている。ポケット１１は、本体部２の外側の表面に開口部１１ａを有しており、携帯用通信機器５０を収納するためのポケットである。本実施形態では、ポケット１１は、後身頃４における丈方向Ｌの下側（丈方向Ｌの寸法を３等分したとき下方の１／３の領域）かつ水平方向Ｈの右側（水平方向Ｈの寸法を３等分したとき右方の１／３の領域）の部分、すなわち右下側の角部又は腰部に配置されている。ポケット１１は、作業用衣服１の外側から見て略矩形の形状を有する切り込み型のポケットであり、前身頃３に形成された切り込み３１ａを覆う口布部材３１と、物品を収納する袋布部材３２と、を備える。口布部材３１は、前身頃３と共に開口部１１ａを構成する。ポケット１１の構成は、携帯用通信機器５０を収納できれば特に制限されず、例えば丈方向Ｌの下側の角が丸い矩形の形状でもよく、貼り付け型のポケットでもよい。
【００２５】
なお、携帯用通信機器５０は、イヤホン（ヘッドホンを含む）５５及びマイクロフォン５６のコード５２とアンテナ５１とを有し、外部の通信機器と無線で通信を行うための携帯用の通信機器である。携帯用通信機器５０としては、コード５２とアンテナ５１とを有する通信機であれば特に制限はなく、インカム（インターコミュニケーション）用の携帯用の無線機器が挙げられる。イヤホン５５及びマイクロフォン５６は、携帯用通信機器５０とコード（ケーブル）５２で接続していれば特に制限はなく、例えば、ヘッドホンとマイクロフォンとを一体化したヘッドセットが挙げられる。携帯用通信機器５０（コード５２及びアンテナ５１を除く）の大きさは、例えば高さ８０〜１００ｍｍ×幅５０〜６０ｍｍ×奥行２０〜４０ｍｍが挙げられる。アンテナ５１の長さ及び直径は、例えば６０〜１２０ｍｍ及び１ｍｍ〜１０ｍｍが挙げられる。
【００２６】
本実施形態では、ポケット１１の収納領域の大きさとしては、携帯用通信機器５０を収納できれば特に制限はないが、例えば矩形の形状の場合、丈方向Ｌの寸法１００〜１２０ｍｍ×水平方向Ｈの寸法９０〜１２０ｍｍが挙げられる。
【００２７】
なお、本実施形態では、前身頃３における丈方向Ｌの上側かつ水平方向Ｈの右側の部分、右側の胸部に配置された胸ポケット９を更に備えている。胸ポケット９は、切り替え利用のポケットであるが、貼り付け型のポケットであってもよい。胸ポケット９は、種々の物品を収納する収納用ポケットとして機能するほか、コード５２をクリップ５３で仮留めするための仮留め部としても機能している。ただし、コード５２をクリップ５３で仮留めするための仮留め部としては、襟部６を用いてもよい。
【００２８】
作業用衣服１は、本体部２に挿通孔１３を更に備えている。挿通孔１３は、本体部２に位置し、コード５２を作業用衣服１の外側から内側に挿通するための孔である。本実施形態では、挿通孔１３は、後身頃４におけるポケット１１の開口部１１ａの近傍に配置されている。ただし、本実施形態では、「近傍」の範囲は、丈方向Ｌにおける下端及び上端と、水平方向Ｈにおける右端及び左端と、で囲まれる所定の範囲をいう。その丈方向Ｌにおける下端は、開口部１１ａの位置である。その丈方向Ｌにおける上端は、開口部１１ａの位置を基準に、開口部１１ａの上側に向かってポケット１１の丈方向Ｌの寸法の距離だけ離れた位置である。その水平方向Ｈにおける右端は、開口部１１ａの右端の位置を基準に、開口部１１ａの右側に向かってポケット１１の水平方向Ｈの寸法の距離だけ離れた位置である。その水平方向Ｈにおける左端は、開口部１１ａの左端の位置を基準に、開口部１１ａの左側に向かってポケット１１の水平方向Ｈの寸法の距離だけ離れた位置である。好ましくは、「近傍」は、上端が丈方向Ｌでの基準からの距離が上記の１／２の位置、右端及び左端が水平方向Ｈでの基準からの距離が上記の１／２の位置である。より好ましくは、「近傍」は、上端が丈方向Ｌでの基準からの距離が上記の１／４の位置、右端及び左端が水平方向Ｈでの開口部１１ａの右端及び左端の位置である。
【００２９】
本実施形態では、挿通孔１３の孔の形状はスリット状の形状を有する。ただし、挿通孔１３の孔の形状は、コード５２（図示されない携帯用通信機器５０への接続端子を含む）が挿通可能であれば特に制限はなく、例えば薄型の矩形状や扁平の楕円状やＨ型のスリットの開口でもよい。挿通孔１３の孔の大きさとしては、コード５２が挿通可能であれば特に制限はなく、例えばスリット状の開口の場合、１０ｍｍ〜３０ｍｍが挙げられる。
【００３０】
本実施形態では、作業用衣服１は本体部２にカバー部材１４を更に備えている。カバー部材１４は、本体部２に位置し、コード５２が挿通孔１３を挿通可能なように挿通孔１３を覆う部材である。本実施形態では、カバー部材１４は、後身頃４におけるポケット１１の開口部１１ａの近傍であって、その少なくとも一部が挿通孔１３の上を、挿通孔１３から離間しつつ覆うように配置されている。そのとき、カバー部材１４の丈方向Ｌの上側の端部、水平方向Ｈの左側の端部（一端部）及び右側の端部（他端部）は、いずれも本体部２に接合されている（例示：縫い合わされている）。カバー部材１４の丈方向Ｌの下側の端部、並びに、丈方向Ｌ及び水平方向Ｈの中央部（挿通孔１３が対向する領域）は本体部２に接合されず、離間している。本実施形態では「近傍」の範囲は上記のとおりである。
【００３１】
本実施形態では、カバー部材１４の形状は、挿通孔１３を適切に覆うことができれば特に制限はなく、例えば水平方向Ｈに長い帯状や矩形状の形状が挙げられる。カバー部材１４の大きさとしては、挿通孔１３を適切に覆うことができれば特に制限はなく、例えば挿通孔１３スリット状の開口の場合、例えば丈方向Ｌの幅１０〜３０ｍｍ×水平方向Ｈの幅３０〜７０ｍｍ（矩形）が挙げられる。
【００３２】
作業用衣服１の本体部２は、アンテナ保持部材１２を備えている。アンテナ保持部材１２は、本体部２に位置し、挿通孔１３と水平方向Ｈに隣り合い、アンテナ５１を保持するための部材である。本実施形態では、アンテナ保持部材１２は、後身頃４におけるポケット１１の開口部１１ａの近傍、かつ、挿通孔１３の水平方向Ｈの左側に隣り合うように配置されている。ただし本実施形態では「近傍」の範囲は上記のとおりである。「水平方向Ｈに隣り合う」範囲は、水平方向Ｈについては、アンテナ保持部材１２における挿通孔１３側の端縁と、挿通孔１３におけるアンテナ保持部材１２側の端縁との距離が、水平方向Ｈにおけるアンテナ保持部材１２（好ましくは基部２１（後述））の寸法の１／２より小さく、１／２０より大きい範囲をいう。丈方向Ｌについては、アンテナ保持部材１２における丈方向Ｌの上側の端縁と、挿通孔１３における丈方向Ｌの上側の端縁との距離が、丈方向Ｌにおけるアンテナ保持部材１２（好ましくは基部２１）の寸法より小さく、１／１０より大きい範囲をいう。好ましくは、アンテナ保持部材１２の丈方向Ｌの中心と、挿通孔１３の丈方向Ｌの中心とが水平方向Ｈに同じ位置である。なお、アンテナ保持部材１２は、本実施形態と逆に挿通孔１３の水平方向Ｈの右側又は両側に配置されてもよい。
【００３３】
図４に示すように、本実施形態では、アンテナ保持部材１２は、本体部２に固定された基部２１と、アンテナを保持する保持部２２と、を備えている。ここでは、基部２１は、本体部２に縫い合わされており、かつ、本体部２に接合された第１結合部２３を含んでいる。保持部２２は、本体部２に接合されておらず（縫い合わされておらず）、水平方向Ｈにおいて、一端部を基部２１の一端部に連結され、他端部に、第１結合部２３に脱着可能な第２結合部２４を含んでいる。すなわち、基部２１と保持部２２とが連結され一体化されて一つの部材を形成し、その一つの部材の水平方向Ｈの右側の端部において第１結合部２３が本体部２に結合され、左側の端部において第２結合部２４が自由に移動可能な状態にある。そとのき、基部２１の第１結合部２３と保持部２２の第２結合部２４とが互いに結合することで、基部２１及び保持部２２が、アンテナ５１を挿通するためのループ部２５を構成することができる。ただし、第１結合部２３が本体部２に固定されていれば、基部２１は本体部２に縫い合わされていなくてもよい。
【００３４】
本実施形態では、アンテナ保持部材１２の形状は、ループ部２５を適切に構成可能であれば特に制限はなく、例えば水平方向Ｈに長い紐状や帯状や矩形状の形状が挙げられる。アンテナ保持部材１２の大きさとしては、アンテナ５１を保持し得るループ部２５を適切に構成可能であれば特に制限はなく、例えば矩形状の形状の場合、例えば丈方向Ｌの幅１０〜３０ｍｍ×水平方向Ｈの幅３０〜８０ｍｍ（矩形）が挙げられる。
【００３５】
本実施形態では、第１結合部２３及び第２結合部２４は互いに着脱可能であれば特に制限はない。上記着脱可能な第１結合部２３及び第２結合部２４としては、例えば、スナップ（例示：スナップボタン、スナップリング、アメリカンスナップ）のオス及びメス、面ファスナーのフック部（例示：表面に鉤状、きのこ状、錨状の複数の突起を有する部材）及びループ部（例示：表面に複数のループを有する部材）、ホック（例示：バネホック、ジャンパーホック）のオス及びメス、トグルボタン、バックル、ボタン及びボタンホールの組み合わせ等が挙げられる。これらの材料には、公知の材料を用いることができる。
【００３６】
本実施形態では、水平方向Ｈにおいて、カバー部材１４の左側の端部が、アンテナ保持部材１２の（基部２１の）右側の端部に連結され一体化されて一つの部材を形成している。また、アンテナ保持部材１２の基部２１及びカバー部材１４は、本体部及び本体部２の内側に配置された当て布２６に縫い付けられて、接合されている。
【００３７】
本実施形態において、本体部２、袖部５、ポケット１１に用いられる材料としては、特に制限はなく、公知の材料を用いることができる。また、アンテナ保持部材１２及びカバー部材１４に用いられる材料としては、特に制限はなく、例えば、ポケット１１に用いられる公知の材料を用いることができる。
【００３８】
次に図１〜図２を参照し、実施形態に係る作業用衣服１の使用方法について説明する。
着用者は、作業用衣服１を着用するとき、携帯用通信機器５０をポケット１１に収納する。それと共に、着用者は、携帯用通信機器５０のコード５２に連結しているクリップ５３を胸ポケット９に挟みつつ、携帯用通信機器５０のコード５２を前合わせ部７から作業用衣服１の内側に挿入する。次いで、着用者は、そのコード５２を、作業用衣服１の内側かつ着用者の胸部の正面、腹部の正面、及び腹部の側面の領域に通す。そして、着用者は、そのコード５２を、作業用衣服１の内側から挿通孔１３に通して、作業用衣服１の外側へ取り出し、ポケット１１内の携帯用通信機器５０に接続する。それと共に、着用者は、アンテナ保持部材１２の第２結合部２４を第１結合部２３から取り外す。そして、着用者は、携帯用通信機器５０のアンテナ５１を保持部２２と基部２１とで囲むようにしつつ、第２結合部２４を第１結合部２３に結合することで、ループ部２５を形成して、ループ部２５にアンテナ５１を保持させる。
【００３９】
作業用衣服１では、コード５２を挿通孔１３に挿通することでコード５２が作業用衣服１の本体部２の外側に露出しないようにできると共に、アンテナ５１をアンテナ保持部材１２で保持することでアンテナ５１が作業用衣服１の本体部２から外側に突出しないようにできる。更に、アンテナ５１をアンテナ保持部材１２で保持することで、作業者（着用者）の姿勢や動作によって携帯用通信機器５０がポケット１１から落下することを抑制できる。そして、挿通孔１３とアンテナ保持部材１２とが互いに隣り合っているため、携帯用通信機器５０の装着作業、すなわち、コード５２の挿通及びアンテナ５１の保持を極めて容易に行うことができる。それらにより、コード５２やアンテナ５１が周囲の物に引っ掛かることや、携帯用通信機器５０が落下すること等の事象の発生を抑制でき、作業者が安全・安心して作業をすることが可能となる。
【００４０】
本実施形態では、好ましい態様として、作業用衣服１は、本体部２に位置し、コード５２が挿通孔１３を挿通可能なように挿通孔１３を覆うカバー部材１４を更に備えている。そのため、挿通孔１３から異物等が作業用衣服の内側へ侵入するおそれを抑制することができる。更に、挿通孔１３がカバー部材１４で覆われているので、作業用衣服１が肌又は下着の上に着用されたとしても、挿通孔１３から作業用衣服１の内側の肌や下着を見え難くすることができる。それにより、作業用衣服１の作業者（着用者）を保護する機能を維持しつつ、かつ、作業者が肌や下着の露出に対して余計な気を遣う必要がない。よって作業用衣服１により作業者（着用者）がより安全・安心して作業をすることが可能となる。
【００４１】
本実施形態では、好ましい態様として、アンテナ保持部材１２とカバー部材１４とは一体に形成されている。そのため、両部材を狭い範囲にまとめて配置することができる。すなわち、両部材を簡易な構造で形成することができ、容易に設置することができる。それにより、両部材の構造及び設置の信頼性をより高めることができ、作業者がより安全・安心して作業をすることが可能となる。ただし、アンテナ保持部材１２とカバー部材１４とは別体であってもよい。
【００４２】
本実施形態では、好ましい態様として、アンテナ保持部材１２は、第１結合部２３と第２結合部２４とを互いに結合することで、基部２１と保持部２２とにより、アンテナ５１を挿通するためのループ部２５を構成可能である。そして、カバー部材１４は、アンテナ保持部材１２に連結され、挿通孔１３から離間されつつ、挿通孔１３を覆っている。このように、作業用衣服１では、アンテナ保持部材１２が基部２１及び保持部２２とから構成されるループ部２５であるため、第１結合部２３と第２結合部２４との着脱により、アンテナ５１をループ部２５で容易に保持させることができる。それにより、アンテナ５１の保持の作業効率を高めることができ、作業者がより安全・安心して作業をすることが可能となる。また、ループ部２５を構成するアンテナ保持部材１２とカバー部材１４とが水平方向Ｈに連続的に連なる構成を有しているので、アンテナ保持部材１２及びカバー部材１４を一体的に連続的に形成することができ、製造性に優れている。
【００４３】
本実施形態では、好ましい態様として、第１結合部２３及び前記第２結合部２４はスナップである。そのため、着用者が、スナップに手を添え、スナップを容易に取り外し、取り付けすることができ、すなわち、ループ部２５を容易に開閉することができ、アンテナ５１を容易に保持させることができる。それにより、アンテナ５１の保持の作業効率をより高めることができ、作業者がより安全・安心して作業をすることが可能となる。
【００４４】
本実施形態では、好ましい態様として、本体部２は、前身頃３と後身頃４とを含んでおり、ポケット１１は、後身頃４に配置されている。すなわち、作業用衣服１では、携帯用通信機器５０を収納するポケット１１が後身頃４に配置されているので、ポケット１１が携帯用通信機器５０を収納して膨らんだとしても、作業者（着用者）が身体の前方で行う作業の邪魔になることを抑制できる。それにより、作業者（着用者）がより安全・安心して作業をすることが可能となる。特に、ポケット１１が、後身頃４における丈方向Ｌの下方（丈方向Ｌの寸法を３等分したとき下方の１／３の領域）、かつ、水平方向Ｈの右後ろ又は左後（水平方向Ｈの寸法を３等分したとき右側又は左側の１／３の領域）に配置されることがより好ましい。携帯用通信機器５０の収納、アンテナ５１のループ部２５での保持、及び、コード５２の挿通孔１３への挿通などをより容易に行うことができると共に、作業中も作業の妨げによりなり難くすることができる。中でも、右利きの着用者が多いことを考慮して、水平方向Ｈの右後に配置されることが更により好ましい。
【００４５】
また、実施形態に係る作業用衣服１の使用方法は、上記図１〜図２の態様に限定されるものではない。以下、実施形態に係る作業用衣服１の別の使用方法について説明する。図５〜図６は作業用衣服１の着用状態の別の態様を示す図であり、図５は別の態様を右後方から見た図であり、図６は別の態様を正面から見た図である。この別の態様では、携帯用通信機器５０のコード５２を通す領域が、上記図１〜図２の態様と相違する。
【００４６】
以下、図５〜図６を参照して、実施形態に係る作業用衣服１の別の使用方法について説明する。着用者は、作業用衣服１を着用するとき、携帯用通信機器５０をポケット１１に収納する。それと共に、着用者は、携帯用通信機器５０のクリップ５３を襟部６に挟みつつ、携帯用通信機器５０のコード５２を襟部６から作業用衣服１の内側に挿入する。次いで、着用者は、そのコード５２を、作業用衣服１の内側かつ着用者の背中の正面の領域に通す。そして、着用者は、そのコード５２を、作業用衣服１の内側から挿通孔１３に通して、作業用衣服１の外側へ取り出し、ポケット１１内の携帯用通信機器５０に接続する。それと共に、着用者は、アンテナ保持部材１２の第２結合部２４を第１結合部２３から取り外す。そして、着用者は、携帯用通信機器５０のアンテナ５１を保持部２２と基部２１とで囲むようにしつつ、第２結合部２４を第１結合部２３に結合することで、ループ部２５を形成して、ループ部２５にアンテナ５１を保持させる。この場合にも、上記図１〜図２の態様と同様の効果を奏することができる。
【００４７】
また、実施形態に係る作業用衣服１におけるポケット１１、アンテナ保持部材１２、挿通孔１３（カバー部材１４）の位置は、上記図１〜図３の態様に限定されるものではない。以下、実施形態に係る作業用衣服１におけるポケット１１、アンテナ保持部材１２、挿通孔１３（カバー部材１４）の別の位置について説明する。図７は、実施形態に係る作業用衣服１の他の構成例を示す図であり、本体部２（上衣Ｕ）の正面図又は側面図である。
【００４８】
図７（ａ）に示す他の構成例では、ポケット１１は、前身頃３の左側の胸部分に配置されている。すなわち、ポケット１１は、本体部２（前身頃３）における丈方向Ｌの上側かつ水平方向Ｈの左側の部分に配置されている。それに伴い、図３に示す構成例と同様に、ポケット１１の丈方向Ｌの上方近傍に、すなわち、前身頃３の左側の胸部分にアンテナ保持部材１２、挿通孔１３（カバー部材１４）が配置されている。そのため、ポケット１１が携帯用通信機器５０を収納して膨らんだとしても、作業者（着用者）が身体の前方における胸部よりも下方で行う作業の邪魔になることを抑制できる。それにより、作業者がより安全・安心して作業をすることが可能となる。
【００４９】
図７（ｂ）に示す他の構成例では、ポケット１１は、前身頃３の右側の胸部分に配置されている。すなわちポケット１１は、本体部２（前身頃３）における丈方向Ｌの上側かつ水平方向Ｈの右側の部分に配置されている。それに伴い、図３に示す構成例と同様に、ポケット１１の丈方向Ｌの上方近傍に、すなわち前身頃３の右側の胸部分にアンテナ保持部材１２、挿通孔１３（カバー部材１４）が配置されている。この場合にも、図７（ａ）の場合と同様に、そのため、ポケット１１が携帯用通信機器５０を収納して膨らんだとしても、作業者（着用者）が身体の前方における胸部よりも下方で行う作業の邪魔になることを抑制できる。それにより、作業者がより安全・安心して作業をすることが可能となる。
【００５０】
図７（ｃ）に示す他の構成例では、ポケット１１は、本体部２における袖部５の丈方向Ｌの下方に配置されている。すなわち、ポケット１１は、袖部５の丈方向Ｌの下側に、前身頃３と後身頃４とに跨るように配置されている。それに伴い、図３に示す構成例と同様に、ポケット１１の丈方向Ｌの上方近傍に、すなわち、袖部５の丈方向Ｌの下方にアンテナ保持部材１２、挿通孔１３（カバー部材１４）が配置されている。この図の例では、右脇の下側に設けられているが、左脇の下側に設けられていてもよい。この場合にも、図７（ａ）の場合と同様に、ポケット１１が携帯用通信機器５０を収納して膨らんだとしても、作業者（着用者）が身体の前方で行う作業の邪魔になることを抑制できる。それにより、作業者がより安全・安心して作業をすることが可能となる。
【００５１】
なお、ポケット１１（及びそれに対応するアンテナ保持部材１２、挿通孔１３（カバー部材１４））は、図７（ｂ）、（ｃ）に示すように、丈方向Ｌ（鉛直方向）に対してやや傾いて本体部２に配置されていてもよい。傾きの大きさとしては、収納された携帯用通信機器５０が脱落し難い観点から、例えば丈方向Ｌに対して±３０°が挙げられる。
【００５２】
また、実施形態に係る作業用衣服１におけるポケット１１の形状は、上記図１〜図３及び図７の形状に制限されるものではない。以下、実施形態に係る作業用衣服１におけるポケット１１の別の形状について説明する。図８は、実施形態に係る作業用衣服１の更に他の構成例を示す図であり、本体部２（上衣Ｕ）の正面図又は側面図である。
【００５３】
図８（ａ）に示す他の構成例では、ポケット１１’は、貼り付け型（外付け型）のポケットである。すなわち、ポケット１１’用の布を前身頃３の上に縫い付けている。この場合、ポケット１１’の構造が比較的簡単であり、製造が容易である。また、図８（ｂ）に示す更に他の構成例では、ポケット１１”は、貼り付け型（外付け型）のポケットであり、かつ、本体部２の表面から外側に所定の厚さで突出するように形成されている。すなわち、ポケット１１”用の部分的に突出した布を前身頃３の上に縫い付けている。この場合、ポケット１１”の構造が比較的簡単であり、製造が容易であるほか、厚さのある携帯用通信機器５０を安定的に保持することができる。
【００５４】
また、ポケット１１（、１１’、１１”）、アンテナ保持部材１２、挿通孔１３（カバー部材１４）の上記態様では、アンテナ保持部材１２及びカバー部材１４の少なくとも一方が、ポケット１１（、１１’、１１”）の開口部１１ａの上端縁と略平行に配置されている。ただし、本実施形態はこの例に限定されず、ポケット１１（、１１’、１１”）、アンテナ保持部材１２、挿通孔１３（カバー部材１４）の他の態様では、アンテナ保持部材１２及びカバー部材１４の少なくとも一方が、ポケット１１（、１１’、１１”）の開口部１１ａの上端縁と略平行に配置されていなくてもよい。
【００５５】
また、別の実施形態では、アンテナ保持部材１２及び挿通孔１３（カバー部材１４）の少なくとも一方は、ポケット１１（、１１’、１１”）内、すなわちポケット１１（、１１’、１１”）の開口部１１ａよりも丈方向Ｌの下方に形成されていてもよい。また、別の実施形態では、アンテナ保持部材１２と挿通孔１３（カバー部材１４）とは、丈方向Ｌに互いにずれていてもよい。また、別の実施形態では、作業用衣服１は、ポケット１１（、１１’、１１”）、アンテナ保持部材１２、挿通孔１３（カバー部材１４）を一セットとして、二セット以上備えていてもよい。
【００５６】
本実施形態における作業用衣服１としては、携帯用通信機器を携行して作業を行うための衣服であれば特に制限されず、例えば他人に何らかのサービスを提供するサービス業従事者用の作業用衣服が挙げられる。そのサービス業従事者用の作業用衣服としては、例えば、医療業従事者用、看護業従事者用、介護業従事者用、エステ業従事者用、清掃業従事者用、飲食業従事者用、小売業従事者用、理容師業従事者用、又は美容師業従事者用の作業用衣服が挙げられる。あるいは、例えば、イベント従事者用や警備従事者用の作業用衣服が挙げられる。このような作業用衣服では、それらの作業対象生物及び／又は作業対象物に、ポケット内の携帯用通信機器のアンテナやコードを接触し難くすることができる。それにより作業者がより安全・安心して作業をすることが可能となる。本実施形態の作業用衣服は、医療業従事者用、看護業従事者用又は介護業従事者用であることが好ましい。患者や被介護者に対して種々の看護や介護の作業を行うと共に、緊急事態が生じた場合にはその緊急事態に対応しつつ携帯用通信機器で迅速に連絡を行う必要があるためである。
【００５７】
本発明の作業用衣服１は、上述した各実施形態に制限されることなく、本発明の目的、趣旨を逸脱しない範囲内において、適宜組合せや変更等が可能である。
【符号の説明】
【００５８】
１    作業用衣服
２    本体部
１１    ポケット
１１ａ    開口部
１２    アンテナ保持部材
１３    挿通孔
【図１】
2020056128.tif 000003
【図２】
2020056128.tif 000004
【図３】
2020056128.tif 000005
【図４】
2020056128.tif 000006
【図５】
2020056128.tif 000007
【図６】
2020056128.tif 000008
【図７】
2020056128.tif 000009
【図８】
2020056128.tif 000010
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
丈方向及び水平方向を有し、本体部を備える作業用衣服であって、
前記本体部の外側の表面に開口部を有し、イヤホン及びマイクロフォンの少なくとも一方のコードとアンテナとを有する携帯用通信機器を収納するためのポケットと、
前記本体部に位置し、前記コードを前記作業用衣服の外側から内側に挿通するための挿通孔と、
前記挿通孔と前記水平方向に隣り合い、前記アンテナを保持するためのアンテナ保持部材と、
を備え、
前記本体部に位置し、前記コードが前記挿通孔を挿通可能なように前記挿通孔を覆うカバー部材を更に備え、
前記アンテナ保持部材と前記カバー部材とは一体に形成されていて、
前記アンテナ保持部材は、
前記本体部に固定された基部と、
前記アンテナを保持する保持部と、
を備え、
前記基部は、第１結合部を含み、
前記保持部は、前記水平方向において一端部を前記基部の一端部に連結され、他端部に前記第１結合部に脱着可能な第２結合部を含み、前記第１結合部と前記第２結合部とが互いに結合することで、前記アンテナを挿通するためのループ部を構成可能であり、
前記カバー部材は、前記水平方向において一端部を前記基部の他端部に連結され、他端部を前記本体部に固定されており、前記一端部と前記他端部の間の中央部において、前記挿通孔から離間されつつ、前記挿通孔を覆っている、
作業用衣服。
【請求項２】
前記第１結合部及び前記第２結合部はスナップである、
請求項１に記載の作業用衣服。
【請求項３】
前記本体部は、前身頃と後身頃とを含み、
前記ポケットは、前記後身頃に配置されている、
請求項１又は２に記載の作業用衣服。
【請求項４】
前記本体部は、上衣を含み、
前記上衣は、前身頃と後身頃とを含み、
前記ポケットは、前記前身頃の胸部分に配置されている、
請求項１又は２に記載の作業用衣服。
【請求項５】
前記本体部における前記丈方向の上側かつ前記水平方向の両側に、袖部を更に備え、
前記ポケットは、前記本体部における前記袖部の前記丈方向の下方に配置されている、
請求項１又は２に記載の作業用衣服。
【請求項６】
前記作業用衣服は、医療業従事者用、看護業従事者用、介護業従事者用、エステ業従事者用、清掃業従事者用、飲食業従事者用、小売業従事者用、理容師業従事者用、又は美容師業従事者用である、
請求項１乃至５のいずれか一項に記載の作業用衣服。